(57)【要約】【課題】防塵シートと天井との接続の密着性を高めることおよび複数の防塵シートを布設する際の隙間をなくすという課題。【解決手段】天井を供えた構造物内の発塵領域とその他の領域とを区画する防塵シートにおいて、天井面と床面との間に布設される防塵シートのシート材天井側端がランナーとそのランナーの上面に対向するスポンジ下面との間に挟みこまれて固定されていることを特徴とする防塵シート。【選択図】図１
2007071002.tif 000002
【特許請求の範囲】
【請求項１】
天井を供えた構造物内の発塵領域とその他の領域とを区画する防塵シートにおいて、天井面と床面との間に布設される防塵シートのシート材天井側端がランナーとそのランナーの上面に対向するスポンジ下面との間に挟みこまれて固定されていることを特徴とする防塵シート。
【請求項２】
請求項１の防塵シートにおいて、前記シート材の一方の面にマジックテープのメスを取り付け、前記シート材の他方の面にマジックテープのオスを取り付けていることを特徴とする防塵シート。
【請求項３】
請求項１または請求項２の防塵シートにおいて、前記ランナーの上面が前記シート材の天井側端には覆われているが前記スポンジとは対向していない領域を備えていること、および前記スポンジの下面が前記シート材の天井側端には覆われているが前記ランナーとは対向していない領域を備えていることを特徴とする防塵シート。
【請求項４】
請求項３の防塵シートにおいて、前記スポンジとは対向していないランナーの領域の鉛直部分のシート材に前記マジックテープのメスが取り付けられ、前記ランナーとは対向していないスポンジの領域の鉛直部分のシート材に前記マジックテープのオスが取り付けられていることを特徴とする防塵シート。
【請求項５】
請求項１から請求項４のいずれかの防塵シートにおいて、伸縮自在棒が前記ランナーに取り付けられていることおよび前記伸縮自在棒がその軸方向と前記ランナーの上面との角度を垂直以外の角度にも自在に傾けられることを特徴とする防塵シート。
【請求項６】
請求項１から請求項５のいずれかの防塵シートの布設方法において、前記スポンジを天井に接触させることを特徴とする防塵シートの布設方法。
【請求項７】
請求項２から請求項５のいずれかの防塵シートの布設方法において、複数の防塵シートを並べて布設することと、前記マジックテープのメスを隣接する防塵シートのオスと接合し、前記マジックテープのオスは他の隣接する防塵シートのメスに接合することを特徴とする防塵シートの布設方法。
【請求項８】
請求項３から請求項５のいずれかの防塵シートの布設方法において、複数の防塵シートを並べて布設することと、１つの防塵シートの自己のスポンジと対向していないランナーの上面に、隣接する防塵シートの自己のランナーと対向していないスポンジを対向すること、および、前記１つの防塵シートの自己のランナーと対向していないスポンジの下面に、他の隣接する防塵シートの自己のスポンジと対向していないランナーと対向することを特徴とする防塵シートの布設方法。
【請求項９】
請求項５の防塵シートの布設方法において、傾斜した天井の下面に前記スポンジの上面を平行に接触させることを特徴とする防塵シートの布設方法。
【発明の詳細な説明】
【技術分野】
【０００１】  本発明は、工事現場などで発生する塵が周囲の領域に拡散することを防ぐための防塵シートおよびその布設方法に関する。
【背景技術】
【０００２】  従来の防塵シートは脚立等に作業者が上って、シートを天井に直接貼り付けたり、伸縮自在棒で押し上げたりして施工していた。従来の防塵シートは、作業者が脚立に上ることで落下の危険があったり、不自由な足場での作業なので作業効率が上がらないという課題を抱えていた。さらに、天井にガムテープなどを直接貼り付けるために天井に糊が残ったり、天井の表面がガムテープによって剥離したりして天井が傷む可能性があった。【０００３】上記課題を解決するために、特開平９−３２３０５では新しい施工方法の提案がなされている。この方法は防塵シートの上辺部分に棒状の部品として天井支持材を沿わせて取り付けるというものである。この天井支持材を下から伸縮自在棒で押し上げることで防塵シートを取り付けるという提案である。この提案の方法によれば、作業者は作業性に富んだ床面に立って伸縮棒を操作するだけで防塵シートが取り付けられるので作業効率が向上するとともに高所に上らないことで安全性も確保できる。天井部分に隙間が生じないので防塵の効果も高い。【０００４】
【特許文献１】特開平９−３２３０５号公報（第２頁の請求項および、第４頁の図１）
【発明の開示】
【発明が解決しようとする課題】
【０００５】  従来の防塵シート技術が抱える課題についてはすでに背景技術の項においていくつか述べている。上記背景技術で指摘したシートを天井に直接貼り付けたり、伸縮自在棒で押し上げたりする施工技術の抱える課題は特開平９−３２３０５で解消するかのように考えられるが実際に検証してみると、工事現場等での防塵シートとしての課題がまだ解決されておらず、新しい解決技術が望まれる状況である。【０００６】  特開平９−３２３０５の提案が抱える課題は４つに整理される。【０００７】  １つめの課題は、天井支持材と伸縮自在棒との接合部分にある。特開平９−３２３０５の提案ではこの部分について詳細に述べていないが、発明者が実際にこの提案のものを試験するために試作してみたところ、通常の技術で接合するといくつかの困難が発生することが確認された。すなわち、あらかじめ天井支持材と伸縮自在棒とを接合した状態のものを製作してしまうと、コの字型の大きなフレームになってしまい、運搬が困難になってしまう。つまり、天井支持材と伸縮自在棒とは別々の部材として工事現場に搬入してその現場で組み立てなければならないので着脱可能な接合部分とする必要がある。簡単に着脱できて、かつ、施工した状態では強度を確保する接合部分が必要であるが特開平９−３２３０５の提案ではこのことに言及されておらず、実用上の深刻な課題を抱えた提案である。【０００８】  ２つめは、この防塵シートを複数枚使用して広い領域を区切る場合には仕切られた一方の面、たとえば清浄領域から防塵シート群を眺めた場合に、順に表、裏、表、裏というように隣接するシートの面が交互になってしまう。防塵シートを複数回使用、すなわち、前の現場で使用していたものを次の現場で使用する場合には、前の現場で汚れが激しい面が次の現場で清浄領域に面する可能性があり、それを防ぐように配慮しながら防塵シートを並べるのは作業性がよくない。【０００９】  ３つめの課題は、同じく複数枚を施工する場合の問題である。特開平９−３２３０５の提案では隣接する防塵シートが互いに重なるように配置しなければならなかった。防塵シート間には特に接続のための工夫がなされていないのでシートを重ねることで塵の通過を防ぐという対策を講じている。このような配列であると、シートが重なる分だけ施工時の実質的なシートの幅が短くなり、一定の領域を仕切るためにより多くの防塵シートが必要となり、部材コストおよび施工コストが上がってしまうという課題を抱えている。【００１０】  ４つめの課題は、これも同じく複数枚を施工する場合の問題である。工事現場においては防塵シートを施工した後でそのシート部分を通行しなくてはならない場合も発生する。特開平９−３２３０５の提案では一度施工した防塵シートの部分を通行することは困難であり、工事に制約を与える可能性がある。
【課題を解決するための手段】
【００１１】  本発明の防塵シートは、第１に、天井を供えた構造物内の発塵領域とその他の領域とを区画する防塵シートである特徴に加えて、天井面と床面との間に布設される防塵シートのシート材天井側端がランナーとそのランナーの上面に対向するスポンジ下面との間に挟みこまれて固定されていることを特徴とし、
第２に、前記第１の特徴に加えて、前記シート材の一方の面にマジックテープのメスを取り付け、前記シート材の他方の面にマジックテープのオスを取り付けていることを、
第３に、前記第１または第２の特徴に加えて、前記ランナーの上面が前記シート材の天井側端には覆われているが前記スポンジとは対向していない領域を備えていること、および前記スポンジの下面が前記シート材の天井側端には覆われているが前記ランナーとは対向していない領域を備えていることを、
第４に、前記第３の特徴に加えて、前記スポンジとは対向していないランナーの領域の鉛直部分のシート材に前記マジックテープのメスが取り付けられ、前記ランナーとは対向していないスポンジの領域の鉛直部分のシート材に前記マジックテープのオスが取り付けられていることを、
第５に、第１から第４のいずれかの特徴に加えて、伸縮自在棒が前記ランナーに取り付けられていることおよび前記伸縮自在棒がその軸方向と前記ランナーの上面との角度を垂直以外の角度にも自在に傾けられることを特徴とし、
第６の特徴として、本発明の防塵シートの布設方法は、前記第１から第５のいずれかの特徴を備える防塵シートを、前記スポンジを天井に接触させることを特徴とし、
第７に、前記第２から第５のいずれかの特徴を備える防塵シートを、複数の防塵シートを並べて布設することと、前記マジックテープのメスを隣接する防塵シートのオスと接合し、前記マジックテープのオスは他の隣接する防塵シートのメスに接合することを、
第８に、前記第３から第５のいずれかの特徴を備える防塵シートを、複数の防塵シートを並べて布設することと、１つの防塵シートの自己のスポンジと対向していないランナーの上面に、隣接する防塵シートの自己のランナーと対向していないスポンジを対向すること、および、前記１つの防塵シートの自己のランナーと対向していないスポンジの下面に、他の隣接する防塵シートの自己のスポンジと対向していないランナーと対向することを、
第９に、前記５の特徴を備える防塵シートを、傾斜した天井の下面に前記スポンジの上面を平行に接触させることを特徴とする。
【発明の効果】
【００１２】  本発明の防塵シートを用いると、防塵シートを天井から床まで隙間無く布設することができる。やわらかいスポンジが天井に接触するので天井を傷めることなく防塵シートを天井に押し付けることができる。複数の防塵シートを布設する際には、マジックテープを使って隣接する防塵シート同士を簡便に隙間無く布設することができる。さらに、ランナーの端部において隣接する防塵シートのスポンジをランナーの上面に対向させて押し付けることで隙間無い布設を行える。また、ランナーを傾けることでどのような傾きの天井でも隙間無く布設できる。
【発明を実施するための最良の形態】
【００１３】  発明を実施するための最良の形態は、天井を供えた構造物内の発塵領域とその他の領域とを区画する防塵シートにおいて、天井面と床面との間に布設される防塵シートのシート材天井側端がランナーとそのランナーの上面に対向するスポンジ下面との間に挟みこまれて固定されていることに加えて、前記シート材の一方の面にマジックテープのメスを取り付け、前記シート材の他方の面にマジックテープのオスを取り付けていること、および、前記ランナーの上面が前記シート材の天井側端には覆われているが前記スポンジとは対向していない領域を備えていること、および前記スポンジの下面が前記シート材の天井側端には覆われているが前記ランナーとは対向していない領域を備えていること、そして、前記スポンジとは対向していないランナーの領域の鉛直部分のシート材に前記マジックテープのメスが取り付けられ、前記ランナーとは対向していないスポンジの領域の鉛直部分のシート材に前記マジックテープのオスが取り付けられていること、さらに、伸縮自在棒が前記ランナーに取り付けられていることおよび前記伸縮自在棒がその軸方向と前記ランナーの上面との角度を垂直以外の角度にも自在に傾けられることを特徴とする防塵シートである。
【実施例】
【００１４】本発明の第１の実施例について図１から図５を用いて説明する。図１は本発明の防塵シートの正面図である。防塵シート１は糸入り透明シートからなるシート材２と鋼製のパイプ状角材であるランナー３、そして、伸縮自在棒４で構成されている。前記ランナーはその下面の部分に溝が掘られており、ランナーを下から眺めるとその内側が見える状態である。ランナーは幅が６５ｍｍ、高さが３０ｍｍ、長さは１８００ｍｍである。前記シート材は厚みが０．３ｍｍ、幅が１８９０ｍｍで長さは３５００ｍｍである。このシート材の上辺は前記ランナーの側面から上面に沿うように直角に折り曲げてある。図１に描くようにシート材の右端はランナー材の右端と一致させてある。シート材の幅はランナーの長さよりも長いので図１の左側に描くように、ランナーから左側にはみ出した状態になる。前記折り曲げたシート材は上からスポンジ５で押さえてある。このスポンジは幅が６５ｍｍ、高さが１０ｍｍ、長さは前記ランナーと同じ１８００ｍｍである。図１に描くようにスポンジの左端はシート材の左端と一致させてある。スポンジとランナーは同じ長さなので図１に描くように右端はシート材だけが覆っていてスポンジが覆っていないランナーの部分があり、左端ではスポンジの下面にシート材だけが接している部分がある。図１のシートの左側には幅５０ｍｍで長さが３５００ｍｍのオスタイプマジックテープ６が取り付けてある。この取付け領域はランナーの左端からさらに左側にはみ出した領域である。シート材の右側には幅５０ｍｍで長さが３５００ｍｍのメスタイプマジックテープ７が取り付けてある。この取付け領域はスポンジの右端よりもさらに右側の領域である。図２は図１で描いた防塵シート１の平面図である。防塵シートを天井側から見た図である。スポンジ５は左側にずれて配置してあるので図の右側ではスポンジの右端より右側部分でシート材を透かしてランナー３の上面が見えている。メスタイプマジックテープ７はシート材の外側に取り付けているので図２では右側に描くとおり図２ではシート材の上側に描かれている。一方、オスタイプマジックテープはシート材の内側に取り付けてあるので図２ではスポンジの影に隠れている。【００１５】  図３と図４は複数の防塵シート１を隣接して布設する様子を描いた。図３は隣接防塵シート同士がまだ離れている状態を描いてあり、図４は組み立て後の状態を描いてある。図３から説明する。説明の便宜上図の手前に描いた防塵シートを手前防塵シート８、奥側に描いた防塵シートは奥防塵シート９と呼ぶ。スポンジ、ランナー等も同様に手前、奥に分けて命名することとする。図において手前スポンジ１０、手前ランナー１１、手前シート材１２、手前オスタイプマジックテープ１３、奥スポンジ１４、奥ランナー１５、奥シート材１６、奥メスタイプマジックテープ１７を描いてある。前記手前オスタイプマジックテープは前記手前シート材の内側に取り付けてあるので透明なシート材を透過して見えている様子を描いてある。一方、前記奥メスタイプマジックテープは奥シート材の外側の面に取り付けてあるので遮蔽物なしに見えている。図３で注目すべきは前記手前スポンジおよび手前シート材が前記手前ランナーよりも張出���ていることであり、奥スポンジは奥ランナーよりも後退して配置されている。図４は図３の手前防塵シートを奥防塵シートに寄せて接続させた状態である。手前スポンジ１０が奥シートの上端部の折り曲げた部分にかぶさるように接続されている。手前シート材は奥シート材よりも外側になるように接続させる。そして、手前オスタイプマジックテープと奥メスタイプマジックテープとを貼り付けてシート材同士を密着させる。尚、防塵シート材同士は着脱を繰り返し行えるマジックテープで接着しているので、工事部材の搬入時にはマジックテープを外して簡単に搬入作業を行える。【００１６】  図５はランナーを傾斜させる様子を描いたものである。ランナー３の長軸方向から眺めた断面図である。前記ランナーにはスポンジ５とシート材２が取り付けてあり、伸縮自在棒４の取り付け部分には取付け金具１８が配置されている。この取付け金具と前記伸縮自在棒とは首振りの接続になっている。布設現場までの運搬時には前記取付け金具と伸縮自在棒を一体として運搬して、布設現場において前記取付け金具をランナーの端部からスライド挿入させて組み立てる。【００１７】  第２の実施例について図６および図７を用いて説明する。複数の防塵シートを布設して発塵領域を囲いこむ際に用いる直角部品の例である。この部品の斜視図を図６に示す。角ランナー１９は蝶番２３によって固定されている。角ランナーの上面には受スポンジ２０と角スポンジ２１とが配設されている。図に描くようにこの直角部品は図３で描いた防塵シートと接続させる。図６で改めて描いた手前防塵シートは、手前スポンジ１０が手前ランナー１１よりも張出しているので、直角部品でこの手前ランナーに対向する部分のランナー上面には前記手前スポンジの張出しが接続できるようにスポンジが除去された構造となっている。手前ランナーの手前オスタイプマジックテープ１３と直角部品のメスタイプマジックテープとを密着させることでシート材同士も密着される。手前ランナーと直角部品とを接続させると手前スポンジと受スポンジとが隙間無く接続される。同様に、図３の奥防塵シート９として描いた防塵シートの端部、すなわち、ランナーのほうがスポンジよりも張出している端部に対しても、この直角部品は隙間無く接続される構造となっている。具体的には図６で描くように手前ランナーと接続されていない他のランナー端部が短くなっている。【００１８】  図７には図６で描いた直角部品の別の状態を示す。ランナーは蝶番によって固定されており、その接続部分が互いに４５度に切り込まれているので９０度から１８０度（一直線）まで自在に角度を選択して布設できる。特に切り込みが互いに４５度であるので正確にランナーを直角にした構造を作り出せる。この直角部品はさらに１８０度以上の角度、すなわち、反り返った状態にすることも可能であり、複数の防塵シートを布設する際に現場の構造に対応して微調整するような場合にその調整用部品として使用する場合もある。たとえば複数の防塵シートを布設する際に建物の構造上の柱を避けて防塵シート材を布設する必要がある場合にその柱位置で複数の直角部品を組み合わせて柱を避けて布設するという場合がある。また、この直角部品の前記４５度の切り���みをさらに鋭角にすることで９０度以下の鋭角の状態も作り出せる。現場のあらゆる状況に対応するように切り込みの角度が異なる直角部品を事前に用意しておく場合もある。
【図面の簡単な説明】
【００１９】
【図１】第１の実施例の正面図
【図２】第１の実施例の平面図
【図３】第１の実施例の第１の状態の斜視図
【図４】第１の実施例の第２の状態の斜視図
【図５】第１の実施例の断面図
【図６】第２の実施例の斜視図
【図７】第２の実施例の平面図
【符号の説明】
【００２０】  １防塵シート、２シート材、３ランナー、４伸縮自在棒、５スポンジ、６オスタイプマジックテープ、７メスタイプマジックテープ、８手前防塵シート、９奥防塵シート、１０手前スポンジ、１１手前ランナー、１２手前シート材、１３手前オスタイプマジックテープ、１４奥スポンジ、１５奥ランナー、１６奥シート材、１７奥メスタイプマジックテープ、１８取付け金具、１９は角ランナー、２０は受スポンジ、２１は角スポンジ、２２は角シート材、２３は蝶番である。
【図１】
2007071002.tif 000003
【図２】
2007071002.tif 000004
【図３】
2007071002.tif 000005
【図４】
2007071002.tif 000006
【図５】
2007071002.tif 000007
【図６】
2007071002.tif 000008
【図７】
2007071002.tif 000009